(57)【要約】【課題】負荷の軽いトラフィックで、メッセージのステータスを変更することができる無線機、無線通信システム、無線通信方法を提供する。【解決手段】本実施の形態にかかる無線通信システム１００は、送信元の無線機１０Ａと、送信先の無線機１０Ｂとを有する無線通信システム１００である。無線機１０Ａは、無線機１０Ｂにおける前記メッセージのステータスを既読から変更するためのステータス変更要求を生成するマイコン２４と、メッセージ、及びステータス変更要求を無線機１０Ｂに送信する送信回路２９と、を備えている。無線機１０Ｂは、無線機１０Ｂにおけるメッセージのステータスを変更するためのステータス変更要求を受信する受信回路２７と、ステータス変更要求に応じて、メッセージのステータスを既読から変更するマイコン２４と、を備えている。【選択図】図１
2018005719.tif 000002
【特許請求の範囲】
【請求項１】
送信元無線機と、前記送信元無線機からのメッセージを受信可能な送信先無線機とを有する無線通信システムであって、
前記送信元無線機は、
前記送信先無線機における前記メッセージのステータスを既読から変更するためのステータス変更要求を生成する制御部と、
前記メッセージ、及び前記ステータス変更要求を前記送信先無線機に送信する送信回路と、を備え、
前記送信先無線機は、
前記メッセージ、及び前記ステータス変更要求を受信する受信回路と、
前記ステータス変更要求に応じて、前記メッセージのステータスを既読から変更する制御部と、を備えた無線通信システム。
【請求項２】
前記送信元無線機は、前記送信先無線機における前記メッセージのステータスを確認するステータス確認要求を前記送信先無線機に送信し、
前記送信先無線機は、前記ステータス確認要求に応答して、前記送信元無線機に前記ステータスを返答し、
返答された前記ステータスが既読を示す場合に、前記送信先無線機は、前記送信先無線機に対して、ステータス変更要求を送信し、
前記送信先無線機は、前記ステータス変更要求に応じて、前記メッセージのステータスを変更する請求項１に記載の無線通信システム。
【請求項３】
前記ステータス確認要求には、前記メッセージの一致判定情報が含まれており、
前記一致判定情報は、前記メッセージの送信日時、送信元ＩＤ、タイトル、及びメッセージ本文のｃｈｅｃｋ  ｓｕｍの少なくとも一つを含んでおり、
前記送信先無線機に前記一致判定情報と一致するメッセージが記憶されていない場合、前記送信元無線機が前記ステータス変更要求を送信しない請求項２に記載の無線通信システム。
【請求項４】
送信先無線機に対してメッセージを送信可能な無線機であって、
前記送信先無線機における前記メッセージのステータスを既読から変更するためのステータス変更要求を生成する制御部と、
前記ステータス変更要求を前記送信先無線機に送信する送信回路と、を備えた無線機。
【請求項５】
送信元無線機からのメッセージを受信可能な無線機であって、
前記メッセージのステータスを変更するためのステータス変更要求を受信する受信回路と、
前記ステータス変更要求に応じて、前記メッセージのステータスを既読から変更する制御部と、を備えた無線機。
【請求項６】
送信元無線機と、前記送信元無線機からのメッセージを受信する送信先無線機とを有する無線通信システムにおける無線通信方法であって、
前記送信元無線機が、前記送信先無線機における前記メッセージのステータスを既読から変更するためのステータス変更要求を送信するステップと、
前記送信先無線機が前記ステータス変更要求を受信するステップと、
前記送信先無線機が、前記ステータス変更要求に応じて、前記メッセージのステータスを既読から変更するステップと、を備えた無線通信方法。
【発明の詳細な説明】
【技術分野】
【０００１】
本発明は無線機、無線通信システム、及び無線通信方法に関する。
【背景技術】
【０００２】
特許文献１には、電子メールの未読、既読の管理機能を有する電子メールシステムが開示されている。特許文献１の電子メールシステムでは、送信相手先での電子メールの未読・既読を管理する管理手段を端末装置に備えている。
【先行技術文献】
【特許文献】
【０００３】
【特許文献１】特開平１１−６５９５５号公報
【発明の概要】
【発明が解決しようとする課題】
【０００４】
特許文献１の電子メールシステムでは、予め電子メールの既読・未読を管理する管理手段に、送信相手先の端末装置を登録している。そして、登録されている端末装置に送信する電子メールに、既読情報通知要求が付加されている。受信側の端末装置が既読情報通知要求を受信すると、送信側の端末装置に、既読情報を返送する。このようにすることで、送信側の端末装置のユーザが、受信側の端末装置の既読状態を確認することができる。
【０００５】
ところで、メールのステータスが既読状態となった後、しばらくの間、受信側の端末装置から回答が無い場合、受信側の端末装置のユーザに再読を促したい場合がある。このような場合、送信側の端末から、受信側の端末のステータスを既読から未読に変更することが効果的である。しかしながら、特許文献１の電子メールシステムでは、送信側の端末から、受信側の端末のステータスを既読から未読に変更することができない。よって、送信側の端末装置から、受信側の端末装置のユーザに対して再読を促すことができないという問題点がある。また、送信元の端末から送信先の端末に既読メッセージの再読を促す場合、送信元の端末からメッセージを再送すればよい。しかしながら、メッセージを再送すると、システムのトラフィックが増加してしまうという問題点がある。
【課題を解決するための手段】
【０００６】
本実施の形態にかかる無線通信システムは、送信元無線機と、前記送信元無線機からのメッセージを受信可能な送信先無線機とを有する無線通信システムであって、前記送信元無線機は、前記送信先無線機における前記メッセージのステータスを既読から変更するためのステータス変更要求を生成する制御部と、前記メッセージ、及び前記ステータス変更要求を前記送信先無線機に送信する送信回路と、を備え、前記送信先無線機は、前記メッセージ、及び前記ステータス変更要求を受信する受信回路と、前記ステータス変更要求に応じて、前記メッセージのステータスを既読から変更する制御部と、を備えたものである。
【０００７】
本実施の形態にかかる無線機は、送信先無線機に対してメッセージを送信可能な無線機であって、前記送信先無線機における前記メッセージのステータスを既読から変更するためのステータス変更要求を生成する制御部と、前記ステータス変更要求を前記送信先無線機に送信する送信回路と、を備えたものである。
【０００８】
本実施の形態にかかる無線機は、送信元無線機からのメッセージを受信可能な無線機であって、前記メッセージのステータスを変更するためのステータス変更要求を受信する受信回路と、前記ステータス変更要求に応じて、前記メッセージのステータスを既読から変更する制御部と、を備えたものである。
【０００９】
本実施の形態にかかる無線通信方法は、送信元無線機と、前記送信元無線機からのメッセージを受信する送信先無線機とを有する無線通信システムにおける無線通信方法であって、前記送信元無線機が、前記送信先無線機における前記メッセージのステータスを既読から変更するためのステータス変更要求を送信するステップと、前記送信先無線機が前記ステータス変更要求を受信するステップと、前記送信先無線機が、前記ステータス変更要求に応じて、前記メッセージのステータスを既読から変更するステップと、を備えたものである。
【発明の効果】
【００１０】
本発明によれば、負荷の軽いトラフィックで、メッセージのステータスを変更することができる無線機、無線通信システム、及び無線通信方法を提供することができる。
【図面の簡単な説明】
【００１１】
【図１】本実施の形態にかかる無線通信システムの構成を示す図である。
【図２】本実施の形態にかかる無線機の構成を示すブロック図である。
【図３】無線機におけるメッセージ表示画面を模式的に示す図である。
【図４】本実施の形態にかかる無線通信方法を示すフローチャートである。
【図５】本実施の形態にかかる無線通信方法を示すフローチャートである。
【図６】無線機から送信される送信メッセージを示す図である。
【図７】無線機から送信されるステータス確認要求を示す図である。
【図８】無線機から送信されるステータス確認要求の返答を示す図である。
【図９】無線機から送信されるステータス変更要求を示す図である。
【図１０】無線機から送信されるステータス変更完了通知を示す図である。
【図１１】送信日時を更新したメッセージ表示画面を模式的に示す図である。
【発明を実施するための形態】
【００１２】
以下、図面を参照して本発明の実施の形態について説明する。図１は、本実施の形態にかかる無線通信システムを模式的に示す図である。無線通信システム１００は、複数の無線機１０を備えている。なお、図１では、説明の簡略化のため、無線通信システム１００に含まれる２つの無線機１０を無線機１０Ａ及び無線機１０Ｂとして示している。もちろん、無線通信システムに含まれる無線機１０の数は３以上であってもよい。
【００１３】
無線通信システム１００は、店舗、工場、建設現場、消防、警察などで用いられる業務用無線システムである。無線機１０Ａ、及び無線機１０Ｂは、業務用無線ネットワークにおいて、予め設定された無線チャネルに応じた周波数の無線信号を用いて、無線通信を行う無線端末である。無線機１０Ａと無線機１０Ｂとは、無線通信により音声通信可能である。音声通話は、例えばＰＴＴ（Push To Talk）である。ＰＴＴでは、ユーザがボタンを押している間に通話可能となり、通話が終了するとユーザがボタンを離す。無線機１０Ａと無線機１０Ｂとの間の通話については、従来と同様の手法を用いることができるため、説明を省略する。
【００１４】
無線機１０Ａと無線機１０Ｂとは、直接、無線信号を送受信してもよく、中継局等を介して送受信してもよい。無線通信システム１００が業務用無線システムである場合、無線通信システム１００に含まれる無線機１０のみの間で無線通信が可能となる。すなわち、無線チャネルが異なる無線機間では、通話及び通信ができなくなっている。
【００１５】
また、無線機１０Ａと無線機１０Ｂとは、無線通信により、メッセージを送受信可能である。以下の説明では、メッセージがテキストメッセージであるとして説明するが、メッセージは音声メッセージであってもよい。また、以下の説明では、無線機１０Ａが無線機１０Ｂにメッセージを送信する例を説明する。すなわち、無線機１０Ａがメッセージの送信元無線機となり、無線機１０Ｂがメッセージの送信先無線機となる。また、無線機１０ＡのユーザをユーザＡとし、無線機１０ＢのユーザをユーザＢとする。
【００１６】
無線通信システム１００に含まれる無線機１０Ａ、１０Ｂにはそれぞれ機器固有のＩＤが設定されている。さらに、無線通信システム１００が複数のグループを有する場合、無線機１０Ａ、１０ＢにはグループＩＤが設定されていてもよい。この場合、無線機１０Ａ、１０Ｂには、同じグループＩＤが設定されている。
【００１７】
無線機１０Ａは、アンテナ２０Ａ、表示部２１Ａ、及び操作部２３Ａを備えている。無線機１０Ｂは、それぞれアンテナ２０Ｂ、表示部２１Ｂ、及び操作部２３Ｂを備えている。
【００１８】
アンテナ２０Ａ、２０Ｂは、メッセージの送受信のための無線信号を空間に向けて放出する。また、アンテナ２０Ａ、２０Ｂは、空間からの無線信号を捕捉する。
【００１９】
表示部２１Ａ，２１Ｂは、液晶ディスプレイなど表示機器を有している。表示部２１Ａ、２１Ｂは、送受信したメッセージを表示する。
【００２０】
操作部２３Ａ、２３Ｂは、入力操作を受け付けるための操作ボタンなどを有している。操作部２３Ａ、２３Ｂは、メッセージを作成、送信するためのボタン入力を受け付ける。例えば、ユーザＡが表示部２１Ａの表示画面を見ながら、操作部２３Ｂを操作する。ユーザＢが表示部２１Ｂの表示画面を見ながら、操作部２３Ｂを操作する。また、操作部２３Ａ、２３Ｂは、表示部２１Ａ、２１Ｂの前面に設けられたタッチパネルであってもよい。
【００２１】
次に、図２を参照して、無線機１０の制御構成について説明する。図２は、無線機１０の構成を示す制御ブロック図である。なお、図１で示した無線機１０Ａ、１０Ｂは同様の構成を有しているため、図２では無線機１０として説明を行う。すなわち、図１で示したアンテナ２０Ａ、２０Ｂと、表示部２１Ａ、２１Ｂと、操作部２３Ａ、２３Ｂは、それぞれ図２のアンテナ２０と、表示部２１と、操作部２３とに対応する。
【００２２】
無線機１０は、アンテナ２０と、表示部２１と、メッセージ記憶部２２と、操作部２３と、マイコン２４と、信号解析制御部２５と、状態管理・情報制御部２６と、受信回路２７と、復調部２８と、送信回路２９と、変調部３０とを備えている。
【００２３】
メッセージ記憶部２２は、例えば、メモリ等を有しており、送信メッセージ、及び受信メッセージを記憶する。さらに、メッセージ記憶部２２は、各メッセージに関する情報を記憶する。メッセージに関する情報としては、受信メッセージの既読又は未読を示すステータスがある。メッセージ記憶部２２は、メッセージとステータスを対応付けて記憶する。メッセージ記憶部２２は、メッセージに関する情報として、送信元ＩＤ、送信日時、タイトル等を記憶していてもよい。
【００２４】
マイコン２４は、信号解析制御部２５、及び状態管理・情報制御部２６を備える制御部である。マイコン２４は、少なくとも一つのプロセッサ及びメモリなどを有しており、予めメモリに格納されたプログラムにより、所定の処理を実行する。信号解析制御部２５は、メッセージの送受信を行うための信号解析を行う。例えば、信号解析制御部２５は、受信したメッセージに含まれる情報を抽出する。また、信号解析制御部２５は、ユーザの操作に基づいて、送信信号を生成する。また、信号解析制御部２５は、受信信号に基づいて、表示部２１で表示される表示データを生成する。これにより、表示部２１がメッセージを表示することができる。
【００２５】
状態管理・情報制御部２６は、メッセージのステータス管理を行う。具体的には、状態管理・情報制御部２６は、受信したメッセージが既読であるか、未読であるかのステータスを管理する。状態管理・情報制御部２６はユーザの入力操作に応じて、メッセージのステータスを変更する。例えば、ユーザが受信したメッセージを開封すると、状態管理・情報制御部２６は、メッセージのステータスを未読から既読に変更する。これにより、メッセージ記憶部２２に記憶されていたメッセージのステータスが書き換えられる。さらに、状態管理・情報制御部２６は、ステータス確認要求、ステータス確認要求の返答、ステータス変更要求、ステータス変更完了通知等を生成するための処理を実行する。これらの処理については後述する。
【００２６】
さらに、状態管理・情報制御部２６は、メッセージに関する情報を制御する。例えば、状態管理・情報制御部２６は、メッセージに対する送信日時、送信元ＩＤ、送信先ＩＤなどの情報をメッセージ記憶部２２から読み出したり、メッセージ記憶部２２に書き込んだりする。
【００２７】
受信回路２７は、メッセージ、ステータス確認要求、ステータス確認要求の返答、ステータス変更要求、ステータス変更完了通知等を受信する。そのため、受信回路２７は、アンテナ２０が捕捉した受信信号を復調する復調部２８を有している。復調部２８で復調された受信信号は、マイコン２４に出力される。
【００２８】
送信回路２９は、メッセージ、ステータス確認要求、ステータス確認要求の返答、ステータス変更要求、ステータス変更完了通知等を送信する。そのため、送信回路２９は、マイコン２４で生成された送信信号を変調する変調部３０を有している。変調部３０で変調された送信信号は、アンテナ２０から放出される
【００２９】
ここで、図３を参照して、表示部２１におけるメッセージ表示画面について説明する。図３のメッセージ表示画面５０は、メッセージの受信履歴を表示している。図３に示すように、メッセージ表示画面５０は、既読・未読ステータス（以下、ステータス）５１と、送信元ＩＤ５２、送信日時５３、タイトル５４を含むリストを表示している。
【００３０】
ステータス５１は、メッセージが既読であるか、未読であるかを示している。具体的には、ステータス５１は、メッセージが既読であることを示す既読アイコン５１ａと、未読であることを示す未読アイコン５１ｂとによって示されている。例えば、ユーザが受信したメッセージを開封すると、ステータス５１の表示が未読アイコン５１ｂから既読アイコン５１ａに変更される。
【００３１】
送信元ＩＤ５２は、送信元の無線機１０のＩＤである。送信元ＩＤ５２が「Ａ」の場合、無線機１０Ａが送信したメッセージであることを示す。送信元ＩＤ５２が「Ｃ」、「Ｄ」の場合、無線機１０Ａ以外の無線機１０、すなわち無線機１０Ｃ、１０Ｄ（図示せず）が送信したメッセージであることを示す。
【００３２】
送信日時５３は、メッセージが送信された日時を示している。タイトル５４は、メッセージのタイトルを示すテキストである。
【００３３】
図３では、４つのメッセージが、時間順に表示されている。最新のメッセージが最上段に示されている。ここでは、最新の２つのメッセージが未読になっており、残りの２つのメッセージが既読になっている。
【００３４】
次に、本実施の形態にかかる通信方法について、図４、図５を用いて説明する。図４は、及び図５は、無線機１０Ａが無線機１０Ｂの受信メッセージのステータスを変更するための処理を示すフローチャートである。
【００３５】
まず、無線機１０ＡがメッセージＭを無線機１０Ｂに送信する（Ｓ１１）。例えば、無線機１０ＡのユーザＡが無線機１０Ａの操作部２３を操作して、メッセージのタイトル、及び本文等をテキスト入力する。そして、ユーザＡが無線機１０Ｂを宛先として、送信ボタンを押すと、送信回路２９がメッセージＭを送信する。このとき、無線機１０Ａの状態管理・情報制御部２６が、メッセージＭを送信済みメッセージとして、メッセージ記憶部２２に書き込む。さらに、信号解析制御部２５が送信日時などをメッセージＭに付加する。
【００３６】
図６に、メッセージＭのデータ構造を示す。メッセージＭは、先頭信号、送信先のＩＤ、メッセージ文字列、及び終端信号を含んでいる。メッセージ文字列は、メッセージのタイトル、及びメッセージ本文に相当する。送信先ＩＤは、メッセージＭの送信先である無線機１０ＢのＩＤである。
【００３７】
無線機１０Ｂは、メッセージＭを受信する（Ｓ１２）。ここで、無線機１０Ｂの信号解析制御部２５がメッセージＭの受信信号を解析する。これにより、メッセージＭの送信日時、送信先ＩＤなどが抽出される。そして、状態管理・情報制御部２６がメッセージＭをメッセージ記憶部２２とその情報に書き込む。すなわち、状態管理・情報制御部２６は、メッセージＭのステータス、送信日時、送信元ＩＤ、送信先ＩＤ、タイトル、メッセージ本文等をメッセージ記憶部２２に書き込む。この時点では、メッセージＭのステータスは未読となっている。
【００３８】
その後、送信機１０ＡがメッセージＭに対するステータス確認要求を無線機１０Ｂに送信する（Ｓ１３）。例えば、ユーザＡが操作部２３Ａを操作することで、送信履歴の中から、ステータスを確認したいメッセージＭを選択する。すると、状態管理・情報制御部２６がメッセージ記憶部２２からメッセージＭの情報を読み出す。そして、信号解析制御部２５が、読み出されたメッセージＭの情報に基づいて、ステータス確認要求を生成する。送信回路２９は、ステータス確認要求の信号を変調して、送信する。
【００３９】
ステータス確認要求のデータ構造を図７に示す。ステータス確認要求は、先頭信号、送信先ＩＤ、メッセージ一致判定情報（以下、判定情報とする）及び、終端信号を含んでいる。送信先ＩＤは、メッセージＭの送信先である無線機１０ＢのＩＤである。ここで、判定情報は、送信日時、送信元ＩＤ、タイトル、及び本文のｃｈｅｃｋ  ｓｕｍの少なくとも一つを有している。例えば、図３の上から四番目のメッセージのステータス確認要求を行う場合、送信日時「６／１５  １４：３４：５３」、及び送信元ＩＤ「Ａ」の２つを判定情報とすることができる。また、送信元ＩＤは、メッセージＭの送信元である無線機１０ＡのＩＤである。判定情報のデータ量は、運用上想定されるメッセージ文字列のデータ量よりも小さくなっている。
【００４０】
無線機１０Ｂは、ステータス確認要求の判定情報に基づいて、メッセージの一致判定を行う（Ｓ１４）。そのため、無線機１０Ｂの受信回路２７は、ステータス確認要求を受信する。信号解析制御部２５はステータス確認要求に含まれている判定情報を抽出する。そして、状態管理・情報制御部２６は判定情報と、操作部２３に記憶されている受信メッセージの情報を比較する。すなわち、状態管理・情報制御部２６は、受信履歴の中から、判定情報と一致する情報を有するメッセージを検索する。
【００４１】
判定情報と受信メッセージの情報が一致している場合（Ｓ１４の一致）、無線機１０Ｂは、無線機１０Ｂは、メッセージＭが既読か否かを判定する（Ｓ１５）。すなわち、無線機１０ＢがメッセージＭを適切に受信している場合、無線機１０Ｂの受信履歴の中に、判定情報と一致する情報を有するメッセージがある。よって、状態管理・情報制御部２６は、メッセージ記憶部２２に記憶されているメッセージＭのステータスが既読であるか未読であるかを確認する。
【００４２】
より具体的には、ステータス確認要求の判定情報に、送信日時「６／１５  １４：３４：５３」と、送信元ＩＤ「Ａ」が含まれているとする。図３に示す受信履歴において、上から４番目のメッセージでは、送信日時が「６／１５  １４：３４：５３」、送信元ＩＤが「Ａ」となっている。よって、上から４番目のメッセージの情報と判定情報が一致する。よって、状態管理・情報制御部２６は、上から４番目のメッセージにステータス確認要求があったと判定する。このとき、状態管理・情報制御部２６は、ステータス確認要求があったことをメッセージ記憶部２２に記憶するようにしてもよい。
【００４３】
一方、判定情報と、受信メッセージの情報が不一致の場合（Ｓ１４の不一致）、無線機１０Ｂは、エラーを無線機１０Ａに返答する（Ｓ１６）。ステップＳ１６は、例えば、送信エラーなどにより、無線機１０ＢがメッセージＭを適切に受信していない場合に相当する。より具体的には、メッセージＭの送信時において、無線機１０Ｂが無線機１０Ａの通信圏外にあった場合、あるいは、無線機１０Ｂが無線機１０Ａの無線チャネルと異なる無線チャネルに移動していた場合、無線機１０ＢがメッセージＭを受信できていない。よって、無線機１０Ｂの受信履歴には判定情報と一致する情報のメッセージが存在しない。この場合、無線機１０Ｂはエラーを返答する。
【００４４】
このため、無線機１０Ｂの状態管理・情報制御部２６は、判定情報と、受信履歴に含まれる受信メッセージの情報を比較する。判定情報と完全一致する情報のメッセージが存在しない場合、信号解析制御部２５が、ステータスがエラーであることを示す返答を生成する。送信回路２９は、エラーを示す返答を無線機１０Ａに送信する。ステップＳ１６の後、図５のＤに続く。返答がエラーである場合、ステータス変更要求が送受信されない。
【００４５】
ステップＳ１５において、メッセージＭが既読となっていない場合（Ｓ１５のＮＯ）、無線機１０Ｂは未読を返答する（Ｓ１７）。ここでは、状態管理・情報制御部２６がメッセージ記憶部２２からメッセージＭのステータスを読み出す。ステップＳ１２〜ステップＳ１４の間に、無線機１０ＢのユーザＢは、メッセージＭを開封していないため、ステータスが未読となっている。そして、信号解析制御部２５が未読を示す返答を生成して、送信回路２９が無線機１０Ａに送信する。ステップＳ１７の後、図５のＣに続く。返答が未読である場合、ステータス変更要求が送受信されない。
【００４６】
メッセージＭが既読である場合（Ｓ１５のＹＥＳ）、無線機１０Ｂは既読を返答する（Ｓ１８）。ここでは、ステップＳ１７と同様に、状態管理・情報制御部２６がメッセージ記憶部２２からメッセージＭのステータスを読み出す。ステップＳ１２〜ステップＳ１４の間に、無線機１０ＢのユーザＢが、メッセージＭを開封している場合、メッセージＭのステータスが既読となっている。そして、信号解析制御部２５が既読を示す返答を生成する。送信回路２９が無線機１０Ａに返答を送信する。ステップＳ１８の後、図５のＢに続く。
【００４７】
図８に、無線機１０Ｂから無線機１０Ａに送信される返答のデータ構造を示す。返答は、先頭信号、送信元ＩＤ、応答ステータス、及び終端信号を含んでいる。送信元ＩＤは、メッセージＭの送信元、すなわち、無線機１０ＡのＩＤを示している。応答ステータスは、既読（Ｓ１８）、未読（Ｓ１７）、及びエラー(Ｓ１６)のいずれか１つを示す。
【００４８】
次に、ステップＳ１６〜ステップＳ１８の返答後の処理について、図５を用いて説明する。無線機１０Ａが一定時間内にステータス確認要求に対する返答を受信したか否かを判定する（Ｓ１９）。具体的には、ステータス確認要求を送信した後、無線機１０Ａの信号解析制御部２５が受信信号を解析する。そして、無線機１０Ａの状態管理・情報制御部２６は、受信信号がステータス確認に対する返答であるか否かを判定する。
【００４９】
無線機１０Ａが一定時間内に返答を受信していない場合（Ｓ１９のＮＯ）、表示部２１Ａが応答無と画面表示する（Ｓ２０）。これにより、処理が終了する。また、無線機１０Ａにおいて、応答無と画面表示した後、無線機１０Ａが自動又は手動で、メッセージＭに対するステータス確認要求を再送するようにしてもよい。さらに、所定の回数、ステータス確認要求を再送しても、無線機１０Ａが返答を受信することができない場合、ステータス確認要求の再送を停止してもよい。
【００５０】
無線機１０Ａが一定時間内に返答を受信した場合（Ｓ１９のＹＥＳ）、無線機１０Ａは返答が既読であったか否かを判定する（Ｓ２１）。例えば、無線機１０Ａの状態管理・情報制御部２６が返答に含まれる応答ステータスを確認する。
【００５１】
返答が既読であった場合（Ｓ２１のＹＥＳ），無線機１０ＡはメッセージＭに対するステータス変更要求を送信する（Ｓ２２）。例えば、無線機１０Ａの状態管理・情報制御部２６がメッセージＭの情報をメッセージ記憶部２２から読み出す。そして、無線機１０Ａの信号解析制御部２５がメッセージＭの情報に基づいて、ステータス変更要求を生成する。無線機１０Ａの送信回路２９は、ステータス変更要求を変調して、無線機１０Ｂに送信する。無線機１０Ａは、自動でステータス変更要求を送信するようにしてもよい。あるいは、ユーザＡにステータス変更要求の送信を問い合わせるようにしてもよい。
【００５２】
図９にステータス変更要求のデータ構造を示す。ステータス変更要求は、先頭信号、送信先ＩＤ、ステータス未読変更フラグ、及び終端信号を含んでいる。ステータス変更要求は、ステータスを変更するメッセージを特定するための情報、例えば送信日時などを含んでいてもよい。
【００５３】
一方、返答が既読ではなかった場合（Ｓ２１のＮＯ）、無線機１０Ａは、返答が未読であったか否かを判定する（Ｓ２３）。すなわち、無線機１０Ａの状態管理・情報制御部２６は、返答に含まれる応答ステータスが、未読であるか、エラーであるかを判定する。
【００５４】
返答が未読である場合、（Ｓ２３のＹＥＳ）、無線機１０Ａがステータス変更失敗と画面表示する（Ｓ２４）。例えば、無線機１０Ａの状態管理・情報制御部２６が、表示部２１Ａにステータス変更が失敗したとの文章を表示させる。そして、処理を終了する。ステータス変更が失敗した場合、無線機１０Ａの状態管理・情報制御部２６が、未読、及び既読以外のステータスに変更してもよい。
【００５５】
一方、返答が未読でない場合（Ｓ２３のＮＯ）、無線機１０Ａが該当メッセージ無と画面表示する（Ｓ２５）。例えば、無線機１０Ａの状態管理・情報制御部２６が、表示部２１Ａに該当メッセージが無かったことを示す文章を表示させる。これにより、処理が終了する。該当メッセージ無の場合、無線機１０ＢがメッセージＭを送信していない。よって、状態管理・情報制御部２６が、無線機１０ＢがメッセージＭを受信していないことを示す文章等を表示部２１に表示させる。この場合、ユーザＡにメッセージＭの再送を促すようにしてもよい。例えば、メッセージＭの再送を促すような文章を表示部２１Ａが表示する。
【００５６】
ステップＳ２２において、無線機１０Ａがステータス変更要求を送信すると、無線機１０ＢがメッセージＭのステータスを変更する（Ｓ２６）。これにより、無線機１０ＢにおけるメッセージＭのステータスが既読から未読に変更される。例えば、無線機１０Ｂの受信回路２７がステータス変更要求を受信する。無線機１０Ｂの信号解析制御部２５がステータス変更要求を解析する。そして、無線機１０Ｂの状態管理・情報制御部２６は、ステータス未読変更フラグに基づいて、ステータス変更要求がメッセージＭに対するステータス変更要求であると判定する。無線機１０Ｂの状態管理・情報制御部２６は、メッセージ記憶部２２におけるメッセージＭのステータスを既読から未読に書き換える。
【００５７】
このとき、無線機１０Ｂの表示部２１Ｂにおいて、メッセージＭのステータスが書き換えられることを表示するようにしてもよい。また、ステータスを変更する場合、無線機１０ＢはユーザＢに問い合わせるようにしてもよい。例えば、無線機１０Ｂがステータス変更要求を受信した場合、無線機１０Ｂの表示部２１Ｂがステータス変更を許可するか否かを確認にするための文章を表示するようにしてもよい。
【００５８】
そして、無線機１０Ｂは、ステータス変更完了通知を無線機１０Ａに送信する（Ｓ２７）。上記のように、無線機１０Ｂの状態管理・情報制御部２６がメッセージＭのステータスが既読から未読に書き換える。そして、無線機１０Ｂの信号解析制御部２５が、メッセージＭのステータスが未読に書き換えられたことを示すステータス変更完了通知を生成する。無線機１０Ｂの送信回路２９は、ステータス変更完了通知を無線機１０Ａに送信する。
【００５９】
ステータス変更完了通知のデータ構造を図１０に示す。ステータス変更完了通知は、先頭信号、送信元ＩＤ、ＡＣＫ、終端信号を含んでいる。
【００６０】
そして、無線機１０ＡがメッセージＭのステータス変更完了を画面表示する（Ｓ２８）。例えば、無線機１０Ａの受信回路２７がステータス変更完了を受信する。無線機１０Ａの信号解析制御部２５が、ステータス変更完了通知を解析する。そして、無線機１０Ａの状態管理・情報制御部２６が、メッセージＭのステータスが未読に変更されたことを検知する。無線機１０Ａの状態管理・情報制御部２６は、表示部２１ＡにメッセージＭのステータスが未読に変更されたことを示す文章等を表示する。
【００６１】
上記の無線機１０によれば、メッセージそのものを再送することなく、送信元の無線機１０Ａから、送信先の無線機１０Ｂが保存している送信済みメッセージのステータスを既読から未読に変更できる。よって、送信先の無線機１０ＢのユーザＢに対して、既読メッセージの再読を促すことができる。ステータス確認要求、ステータスの返答、ステータス変更要求、ステータス変更完了通知は、メッセージ本文を含んでいないため、メッセージＭの再送よりもデータ量が少なくすることができる。これにより、無線通信システム１００におけるトラフィックの増加を抑制することができる。本実施の形態によれば、無線通信システム１００においてメッセージを再送する場合よりも、トラフィックを低減することができる。
【００６２】
また、無線機１０Ｂのメッセージ記憶部２２におけるメッセージ保存領域の使用効率向上に寄与することができる。すなわち、メッセージが再送されないため、メッセージ記憶部２２が、同じメッセージを複数記憶する必要がなくなる。よって、メッセージ記憶部２２の保存容量を小さくすることができる。よって、メモリの保存領域を有効に活用することができる。
【００６３】
さらに、本実施の形態では、ステータス変更要求を送受信する前に、ステータス確認要求を送受信することが好ましい。このようにすることで、無線機１０Ｂがステータス変更を行うメッセージを受信している場合のみ、ステータス変更要求を送信することができる。ステータス確認要求の返答が既読を示す場合、無線機１０Ａは、ステータス変更要求を送信する。一方、ステータス確認要求の返答が未読又はエラーを示す場合、無線機１０Ａは、ステータス変更要求を送信しない。よって、ステータス変更が必要な場合のみ、ステータス変更要求が送信される。これにより、トラフィックの負荷を軽減することができる。
【００６４】
ステータス確認要求は、判定情報は、送信日時、送信元ＩＤ、タイトル、及び本文のｃｈｅｃｋ  ｓｕｍの少なくとも一つを備えている。これにより、確実に、ステータス変更を行うメッセージを特定することができる。また、メッセージ確認要求は、メッセージ本文を含んでいない。このようにすることで、少ないデータ通信量で、確実にメッセージＭの再読を促すことができる。
【００６５】
また、判定情報が無線機１０固有の送信元ＩＤを含んでいる場合、送信元の無線機１０Ａからのみ、ステータス変更要求を行うことができるようになる。このように、送信元ＩＤを含ませることで、送信元の無線機１０Ａ以外の無線機１０がステータス変更を行うのを防ぐことができる。また、判定情報が無線機１０固有の送信元ＩＤを含んでいない場合、送信元の無線機１０Ａ以外の無線機１０からでも、ステータス変更要求を行うことができるようになる。
【００６６】
さらに、判定情報が無線通信システム１００のグループＩＤを含んでいる場合、同一グループに含まれる無線機１０Ａ以外の無線機１０から、ステータス変更要求を行うことができるようになる。メッセージを送信した無線機１０Ａ以外の無線機１０が無線機１０Ｂのステータスを変更することができる。換言すると、異なるグループに含まれる無線機１０からは、ステータス変更要求を行うことができない。
【００６７】
また、ステータス確認要求、及びステータス変更要求は、同じメッセージに対して複数回送信されてもよい
【００６８】
また、ステータス変更が完了した場合に、ユーザＢへの再読をより促すように表示させることも可能である。例えば、ステータスを既読から未読に変更したメッセージの表示順を変えるようにしてもよい。具体的には、図３に示すような受信履歴において、タイトル５４が「ＸＸＹＹ」のメッセージのステータスを変更した場合、図１１のメッセージ表示画面５０ａに示すように、ステータスを変更したメッセージの受信履歴の最上段に移動するようにしてもよい。例えば、図１１では、ステータスが変更した日時により、送信日時を更新することで、受信履歴の表示順を変えている。図３では、「６／１５  １４：３４：５３」であった受信日時が、図１１では、「６／１５  １５：１２：３６」に更新されている。この場合、新しいメッセージを受信したかのように表示することができる。よって、より効果的にメッセージＭの再読を促すことができる。
【００６９】
さらには、ステータスが変更されたメッセージに対して、表示を強調することで、より効果的に再読を促すことができる。例えば、表示を強調するような文字や記号を追加するようにしてもよい。ステータスが変更されたメッセージに「重要」、「再読」、「返信要」などの文字やアイコンを加える。さらに、ステータスが変更されたメッセージに対して、受信履歴における表示色を変更してもよい。例えば、ステータスが変更されたメッセージを赤色、その他のメッセージを黒色で表示する。こうすることで、ステータスが変更されたメッセージをより強調することができる。よって、より効果的に再読を促すような表示を行うことが可能となる。
【００７０】
無線機１０Ａ，１０Ｂは携帯型の無線通信端末に限らず、据え置き型のコンソールや車載型の無線機であってもよい。さらには、無線通信システム１００は、業務用無線通信システムに限られるものではない。無線機１０Ａ、１０Ｂは、携帯電話回線を用いた携帯電話であってもよい。この場合、無線機１０Ａ、１０Ｂは携帯電話やスマートフォンなどとなる。そして、無線機１０Ａ、１０Ｂからの送受信されるメッセージなどは、電子メールとして送信されるようにしてもよい。
【００７１】
本実施の形態にかかる無線通信方法は、業務用無線システムに好適である。例えば、業務用無線システムでは、メッセージを送受信する無線機１０が限定されている。すなわち、特定の無線機１０間のみでしか、通信が行われない。業務用無線システムでは、不特定の端末が、ステータスを変更する恐れが無い。一方、電子メールなどを送受信する公衆無線通信システムでは、不特定の端末からメッセージが送信される。したがって、公衆無線通信システムでは、不特定の端末が、ステータスを変更してしまう恐れがある。
【００７２】
なお、メッセージ、及びステータス変更要求を送信する送信元の無線機１０Ａは受信機能を有さずに、送信機能のみを有していてもよい。また、メッセージ、及びステータス変更要求を受信する送信先の無線機１０Ｂは、送信機能を有さずに、受信機能のみを有していてもよい。
【００７３】
上記の通信処理のうちの一部又は全部は、コンピュータプログラムによって実行されてもよい。上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、プロセッサに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ)、ＥＰＲＯＭ（Ｅｒａｓａｂｌｅ  ＰＲＯＭ)、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ)によってプロセッサに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをプロセッサに供給できる。
【００７４】
なお、本発明は上記実施の形態に限られたものではなく、趣旨を逸脱しない範囲で適宜変更することが可能である。
【符号の説明】
【００７５】
１０  無線機
２０  アンテナ
２１  表示部
２２  メッセージ記憶部
２３  操作部
２４  マイコン
２５  信号解析制御部
２６  状態管理・情報制御部
２７  受信回路
２８  復調部
２９  送信回路
３０  変調部
５０  メッセージ表示画面
５１  ステータス
５１ａ  既読アイコン
５１ｂ  未読アイコン
５２  送信元ＩＤ
５３  送信日時
５４  タイトル
１００  無線通信システム
【図１】
2018005719.tif 000003
【図２】
2018005719.tif 000004
【図３】
2018005719.tif 000005
【図４】
2018005719.tif 000006
【図５】
2018005719.tif 000007
【図６】
2018005719.tif 000008
【図７】
2018005719.tif 000009
【図８】
2018005719.tif 000010
【図９】
2018005719.tif 000011
【図１０】
2018005719.tif 000012
【図１１】
2018005719.tif 000013